(57)【要約】【課題】  閉鎖状態のシャッターカーテンの下端部がバール等で強引に持ち上げられなくすることができ、防犯性の向上が図れるシャッターを提供する。【解決手段】  建物の開口２の上方に設けられ、シャッターカーテン３を巻き上げ下げするシャッター本体４と、開口２の両側部に設けられ、シャッターカーテン３の両側部を昇降自在に案内するガイドレール５とを備え、シャッターカーテン３は下端部に下端部材１２を有し、該下端部材１２と対向する床面１３にシャッター閉鎖時に下端部材１２が入り込む溝部１４を設け、該溝部１４にシャッター閉鎖時に下端部材１２の入り込みを許容し、シャッター開放時に溝部１４を床面１３と略同一面で塞ぐ溝開閉機構１７を設けている。【選択図】          図３
2005179897.tif 000002
【特許請求の範囲】
【請求項１】
建物の開口の上方に設けられ、シャッターカーテンを巻き上げ下げするシャッター本体と、開口の両側部に設けられ、シャッターカーテンの両側部を昇降自在に案内するガイドレールとを備え、シャッターカーテンは下端部に下端部材を有し、該下端部材と対向する床面にシャッター閉鎖時に下端部材が入り込む溝部を設け、該溝部にシャッター閉鎖時に下端部材の入り込みを許容し、シャッター開放時に溝部を床面と略同一面で塞ぐ溝開閉機構を設けたことを特徴とするシャッター。
【発明の詳細な説明】
【技術分野】
【０００１】
本発明は、シャッターに係り、特にこじ開け難くして防犯性の向上を図ったシャッターに関する。
【背景技術】
【０００２】
建物の開口（出入口）に設けられているシャッターにおいては、近頃の犯罪の凶悪化傾向により、閉鎖状態のシャッターカーテンがバール等で破壊されたり、或いは閉鎖状態のシャッターカーテンの下端部（最下部）と床部（地面）との隙間にバール等の先端部が鋭利な工具を突っ込んで閉鎖状態のシャッターカーテンが強引に持ち上げ（こじ開け）られ、建物内に不正に浸入する犯罪が増加している。
【０００３】
なお、防犯性の向上を図ったシャッターとしては、錠バー部材の係止状態を不正に解除され難くしたものが提案されている（特開２００３−１２９７７７平号公報参照）。
【０００４】
【特許文献１】特開２００３−１２９７７７平号公報
【発明の開示】
【発明が解決しようとする課題】
【０００５】
しかしながら、従来のシャッターにおいては、閉鎖状態のシャッターカーテンの下端部がバール等で強引に持ち上げられなくする対策が取られていなかった。
【０００６】
本発明は、上記事情を考慮してなされたものであり、閉鎖状態のシャッターカーテンの下端部がバール等で強引に持ち上げられなくすることができ、防犯性の向上が図れるシャッターを提供することを目的とする。
【課題を解決するための手段】
【０００７】
本発明は、建物の開口の上方に設けられ、シャッターカーテンを巻き上げ下げするシャッター本体と、開口の両側部に設けられ、シャッターカーテンの両側部を昇降自在に案内するガイドレールとを備え、シャッターカーテンは下端部に下端部材を有し、該下端部材と対向する床面にシャッター閉鎖時に下端部材が入り込む溝部を設け、該溝部にシャッター閉鎖時に下端部材の入り込みを許容し、シャッター開放時に溝部を床面と略同一面で塞ぐ溝開閉機構を設けたことを特徴とする。
【発明の効果】
【０００８】
本発明によれば、建物の開口の上方に設けられ、シャッターカーテンを巻き上げ下げするシャッター本体と、開口の両側部に設けられ、シャッターカーテンの両側部を昇降自在に案内するガイドレールとを備え、シャッターカーテンは下端部に下端部材を有し、該下端部材と対向する床面にシャッター閉鎖時に下端部材が入り込む溝部を設け、該溝部にシャッター閉鎖時に下端部材の入り込みを許容し、シャッター開放時に溝部を床面と略同一面で塞ぐ溝開閉機構を設けているため、閉鎖状態のシャッターカーテンの下端部がバール等で強引に持ち上げられなくすることができ、防犯性の向上が図れる。また、シャッター開放時には溝部を床面と略同一面で塞ぐことができるため、溝部内へのごみや粉塵等の混入・堆積を防止することができると共に、高齢者や身体障害者がシャッター下を通過する際に溝部でつまづいたりすることなく支障なく安全に通過することができる。
【発明を実施するための最良の形態】
【０００９】
以下に、本発明を実施するための最良の形態について、添付図面を基に詳述する。図１は本発明に係るシャッターの第１実施形態を概略的に示す正面図、図２は同シャッターの概略的縦断面図、図３は図１のＡ部における溝開閉機構を示す図で、（ａ）はシャッター閉鎖時の断面図、（ｂ）はシャッター開放時の断面図である。
【００１０】
これらの図において、１は建物の開口（出入口）２に設けられるシャッターで、このシャッター１は、建物の開口２の上方に設けられ、シャッターカーテン３を巻き上げ下げするシャッター本体４と、開口２の両側部に設けられ、シャッターカーテン３の両側部を昇降自在に案内するガイドレール５，５とを備えている。シャッターカーテン３は例えば巻取可能に連結された多数枚のスラットから構成されている。
【００１１】
シャッター本体４は、図示例ではシャッターカーテン３を巻き取る巻取シャフト６と、この巻取シャフト６を回転可能に支持しシャッターカーテン３を巻取収納可能なシャッターボックス７と、このシャッターボックス７に設けられ巻取シャフト６を回転駆動する電動式の駆動部８とを有している。シャッター本体４としては、シャッターボックス７を有しない場合もある。なお、図２中、９は駆動部８に設けられたブレーキ機構を強制解除するためのブレーキ開放操作部、１０は巻取シャフト６からガイドレール５にシャッターカーテン３を案内するための押し車、１１はシャッター１を開閉操作するための操作ボックスである。
【００１２】
前記シャッターカーテン３は下端部に下端部材１２を有し、この下端部材１２と対向する床面（地面）１３にはシャッター閉鎖時に下端部材１２が入り込む溝部１４が設けられている。下端部材１２は、本実施例では断面Ｌ字状の座板内アングル１５の室外面にシャッターカーテン３の下端部を挟んで取付けられた垂直の座板２２からなっている。座板２２は所定の厚さ例えば６ｍｍ程度を有し、座板内アングル１５の下面より所定長さ例えば１０ｍｍ程度突出している。座板内アングル１５は床面上に着座される水平部１５ａとこの水平部１５ａより直角に立ち上がった垂直部１５ｂと有している。座板内アングル１５の垂直部１５ｂ及び座板２２の両端部は左右のガイドレール５，５（のガイド溝）にスライド可能に係合されている。前記溝部１４を形成するために、地面にはアングル材からなる一対の枠１６が設けられている。シャッター閉鎖時に座板内アングル１５が床面（図示例では枠１６の上面）に着座し、座板からなる下端部材１２の座板内アングル１５より下方に突出した突出部１２ａが溝部１４に入り込むようになっている。
【００１３】
溝部１４にはシャッター閉鎖時に下端部材１２の入り込みを許容し、シャッター開放時に溝部１４を床面１３と略同一面で塞ぐ溝開閉機構１７が設けられている。本実施例の溝開閉機構１７は、溝部１４内に昇降自在に設けられた蓋部材（キャップ）１８と、この蓋部材１８を下端部材１２の下降力（シャッターカーテンの重量）よりも小さい力で上方に付勢する付勢手段である圧縮スプリング１９と、この圧縮スプリング１９により上方に付勢された蓋部材１８をシャッター開放時に床面１３と略同一面位置で係止する係止部２０とを備えている。蓋部材１８は断面略逆Ｕ字状に形成され、その両側部下縁部には外向きの係止部２０が形成されている。この蓋部材１８内の天井部に圧縮スプリング１９の一端が当接され、溝部１４の底部に圧縮スプリング１９の他端が当接されている。
【００１４】
蓋部材１８は、圧縮スプリング１９の付勢力で上方に付勢され、シャッター開放時に係止部２０が枠１６の下端部に当接係止されることにより蓋部材１８の上昇移動の上限が規制されている。溝部１４の底部にはシャッター閉鎖時に蓋部材１８の下降移動の下限を規制するストッパー２１が設けられている。この蓋部材１８の移動ストロークＳが前記下端部材１２の突出部１２ａの突出長さｄ（溝部への入り込み量）と略等しく設定されている。
【００１５】
このように構成されたシャッター１によれば、シャッター閉鎖時にシャッターカーテン３の下端部材１２が溝開閉機構１７の蓋部材１８の上面に当接し、シャッターカーテン３の重量により蓋部材１８が圧縮スプリング１９の付勢力に抗して押し下げられ、座板内アングル１５が床面１３に着座する位置、すなわち蓋部材１８が下限のストッパ２１に当接する位置で停止する。この時、シャッターカーテン３の下端部材１２が溝部１４に床面１３より１０ｍｍ程度入り込んでいるため、外側からバール等の工具をシャッターカーテン３の下端部に突っ込むことができず、閉鎖状態のシャッターカーテン３の下端部がバール等で強引に持ち上げられなくすることができ、防犯性の向上が図れる。一方、シャッター開放時には、溝開閉機構１７の蓋部材１８が圧縮スプリング１９の付勢力により押し上げられて溝部１４を床面１３と略同一面で塞ぐことができるため、溝部１４内へのごみや粉塵等の混入・堆積を防止することができると共に、高齢者や身体障害者がシャッター下を通過する際に溝部でつまづいたりすることなく支障なく安全に通過することができる。
【００１６】
図４は溝開閉機構の変形例を示す図で、（ａ）はシャッター閉鎖時の断面図、（ｂ）はシャッター開放時の断面図である。図４の実施例において、図３の実施例と同一部分は同一符号を付して説明を省略する。図３の実施例では、シャッターカーテン３の下端部には下端部材１２として座板内アングル１５及び座板外アングル２３が設けられており、この下端部材１２に見合う溝幅で溝部１４が床面１３に設けられている。本実施例においても、前記実施例と同様の作用効果を奏することができる。
【００１７】
図５は本発明に係るシャッターの第２実施形態を概略的に示す部分的縦断面図、図６は図５のＢ部における溝開閉機構の拡大断面図、図７は同溝開閉機構の部分的平面図、図８は溝開閉機構の動きを示す断面図、図９はシャッター閉鎖時の溝開閉機構の動きを示すフローチャート、図１０はシャッター開放時の溝開閉機構の動きを示すフローチャートである。本実施例において、前記実施例と同一部分は同一符号を付して説明を省略する。本実施例の溝開閉機構１７は、前記溝部１４内に溝部１４と平行な軸回りに回動自在に設けられ溝部１４を床面１３と略同一面で塞ぐ第１の面１４とシャッター閉鎖時に下端部材１２を受け入れる（下端部材１２の入り込みを許容する）第２の面と２５を有する回動体２６と、この回動体２６を往復旋回（回動）する駆動部である揺動シリンダ２７と、シャッター閉鎖時に第１の面２４が溝部１４に位置し、シャッター開放時に第２の面２５が溝部１４に位置するように揺動シリンダ２７を制御する制御部である油圧ユニット２８とを備えている。油圧ユニット２８は、油圧ポンプ、電磁切替弁等を備えている。油圧ユニット２８は壁または柱の中に埋め込まれる。
【００１８】
前記回動体２６は角パイプからなり、両ガイドレール５，５間の開口幅Ｗと対応する長さに形成されている。回動体２６の第１の面２４と第２の面２５のなす角は直角で、第２の面２５は床面１３より下方に窪みシャッターカーテン３の下端部材１２の入り込みを許容する段差（凹部）２９を有している。回動体２６の両端部には回動軸３０が設けられ、回動軸３０が軸受３１に回動可能に支持されている。一方の回動軸３０にはスプロケット３２，３３とチェーン３４を介して揺動シリンダ２７が連結されている。揺動シリンダ２７により回動体２６が所定の角度例えば９０°の回転角度で揺動（往復旋回）されるようになっている。なお、図６ないし図７中、４０は溝開閉機構１７を設置するために地面に溝部１４と共に設けられた設置穴、４１は設置穴４０の上面を覆うカバー、４３は回動体２６の旋回軌跡である。
【００１９】
シャッター１を閉める場合、図９に示すように、操作ボックス１１のシャッター閉釦のＯＮ動作（操作）によりシャッター（すなわちシャッターカーテン）が下降を開始し、下限位置に至って停止する。その間に、シャッターの下降によりガイドレール上の地上６０ｃｍの位置に設けたリミットスイッチ（図示省略）がＯＮ動作されるとＳ１、油圧ユニット２８の油圧ポンプの運転が開始しＳ２、所定時間経過後例えばタイマー５秒後に揺動シリンダの駆動で回動体（角パイプ）２６が９０°旋回（回動）して第２の面２５になりＳ３、更に５秒後に油圧ポンプが停止するＳ４。これにより、シャッター閉鎖時には、図６に示すようにシャッターカーテン３の下端部材１２が溝開閉機構１７の回動体２６の第２の面２５上に着座して停止する。この時、シャッターカーテン３の下端部材１２が段差２９内に床面より１０ｍｍ程度入り込んでいるため、外側からバール等の工具をシャッターカーテン３の下端部に突っ込むことができず、閉鎖状態のシャッターカーテン３の下端部がバール等で強引に持ち上げられなくすることができ、防犯性の向上が図れる。
【００２０】
一方、シャッターを開ける場合、図１０に示すように、シャッター上昇釦のＯＮ動作によりシャッターが上昇を開始し、上限位置に至って停止する。その間に、シャッターの上昇により前記リミットスイッチ（下限リミットスイッチともいう）がＯＦＦ動作されるとＳ５、油圧ポンプの運転が開始しＳ６、所定時間経過後例えばタイマー５秒後に揺動シリンダ２７の駆動で回動体（角パイプ）２６が９０°逆旋回してＳ７、第１の面２４になり、更に５秒後に油圧ポンプが停止するＳ８。これにより、シャッター開放時には、図８に示すように溝開閉機構１７の回動体２６が第１の面２４になって溝部１４を床面１３と略同一面で塞ぐことができるため、溝部１４内へのごみや粉塵等の混入・堆積を防止することができると共に、高齢者や身体障害者がシャッター下を通過する際に溝部１４でつまづいたりすることなく支障なく安全に通過することができる。
【００２１】
図１１は本発明に係るシャッターの第３実施形態を概略的に示す縦断面図、図１２は図１１のＣ部における係止機構を示す図で、（ａ）はシャッター閉鎖時の断面図、（ｂ）はシャッター開放時の断面図、図１３は同係止機構の平面図、図１４はシャッター閉鎖時の係止機構の動きを示すフローチャート、図１５はシャッター開放時の係止機構の動きを示すフローチャートである。図１１の実施の形態ないし実施例において、前記実施例と同一部分は同一符号を付して説明を省略する。本実施例のシャッター１は、建物の開口の上方に設けられシャッターカーテン３を巻き上げ下げするシャッター本体４と、開口の両側部に設けられシャッターカーテン３の両側部を昇降自在に案内するガイドレール５，５とを備え、シャッターカーテン３は下端部に下端部材１２を有し、この下端部材１２と対向する床部にシャッター閉鎖時に床面１３に着座した下端部材１２を上から押えて係止する係止機構３５を設けている。
【００２２】
シャッターカーテン３の下端部には下端部材１２として座板内アングル１５及び座板外アングル２３が背中合わせで設けられており、その座板内アングル１５の水平部１５ａが係止機構３５のストッパー（係止部材）３６により係止されるようになっている。座板内アングル１５（座板外アングルも同様）は垂直部１５ｂの下端から屋内側へ直角に曲った水平部１５ａを有し、垂直部１５ｂが水平部１５ａよりも側方へ突出していてガイドレール５のガイド溝にスライド可能に係合されている。
【００２３】
係止機構３５は、逆Ｌ字状のストッパー３６と、このストッパー３６を上下動及び所定角度例えば９０°の回転角度で水平に揺動（往復旋回、回動）することが可能な駆動部である直動揺動シリンダ３７と、シャッター閉鎖時に図１２（ｂ）に示す待機位置からストッパー３６を上昇させ、着座位置の座板内アングル１５側にストッパー３６を９０°旋回させ、次いでストッパー３６を下降させて座板内アングル１５の水平部１５ａ上に押付けて係止し、シャッター開放時にストッパー３６を上昇、９０°逆旋回、下降させて待機位置に戻すように直動揺動シリンダ３７を制御する制御部である油圧ユニット３８とから主に構成されている。油圧ユニット３８は、油圧ポンプ、電磁切替弁等を備えている。なお、係止機構３５はシャッターの開口幅に応じて開口幅方向両端部に２箇所、或いは開口幅が小さい場合、端部に一箇所設けられる。床部には係止機構３５の直動揺動シリンダ３７を設置するための設置穴４０が設けられ、この設置穴４０の上面（開口端）は床面１３と略同一面のカバー４１で覆われ、このカバー４１にはストッパー３６が待機位置として納まる開口部４２が形成されている。ストッパー３６は下限位置で開口部４２に納まり、ストッパー３６の上面が床面１３と略同一面となる。
【００２４】
シャッターを閉める場合、図１４に示すように、操作ボックス１１のシャッター閉釦をＯＮ動作（操作）するとシャッター（すなわちシャッターカーテン）が下降を開始し、上限リミットスイッチがＯＦＦ動作され、シャッターが下限に至ると下限リミットスイッチがＯＮ動作されＳ１０、シャッターが停止する。下限リミットスイッチがＯＮ動作されると、油圧ユニット３８の油圧ポンプの運転が開始しＳ１１、所定時間経過後例えばタイマー５秒後にストッパー３６が上昇を開始しＳ１２、更に５秒後（ストッパー３６が上限）にストッパー３６が９０°旋回しＳ１３、更に５秒後（旋回完了）にストッパー３６が下降しＳ１４、更に５秒後（ストッパー３６が座板内アングル１５を押付け）に油圧ポンプが停止するＳ１５。この時、油圧ユニット３８に備えられている電磁切換弁は、上下動及び正逆旋回全ての油送管を閉鎖し、ストッパー３６は、他力により上下動及び正逆旋回は一切できない。これにより、シャッター閉鎖時には、図１２の（ａ）に示すようにシャッターカーテン３の下端部材１２である座板内アングル１５が床面１３に着座した状態で係止機構３５のストッパー３６により係止される。これにより外側からバール等の工具をシャッターカーテン３の下端部に突っ込むことができず、閉鎖状態のシャッターカーテンの下端部がバール等で強引に持ち上げられなくすることができ、防犯性の向上が図れる。
【００２５】
一方、シャッターを開ける場合、図１５に示すように、下限リミットスイッチがＯＮ動作中であり、シャッターが下限に停止している状態において、シャッター開釦（上昇釦）をＯＮ動作するとＳ１６、油圧ポンプの運転が開始しＳ１７、ストッパー３６が上昇を開始しＳ１８、所定時間経過後例えばタイマー５秒後（座板内アングルの押付けを解除）にストッパーが上限に至りＳ１９、更に５秒後にストッパーが９０°逆旋回しＳ２０、シャッターが上昇を開始するＳ２１。すると、ストッパー３６が下降を開始しＳ２１、更に１０秒後（ストッパー３６が下降に至る）に油圧ポンプが停止するＳ２２。シャッターの上昇により下限リミットスイッチがＯＦＦ動作され、シャッターが上限に至ると上限リミットスイッチがＯＮ動作され、シャッターが停止する。これにより、シャッター開放時には、図１２の（ｂ）に示すように係止機構３５のストッパー３６が係止機構３６の設置穴４０のカバー４１に設けられた開口部４２を床面１３と略同一面で塞ぐことができるため、設置穴４０内へのごみや粉塵等の混入・堆積を防止することができると共に、高齢者や身体障害者がシャッター下を通過する際に開口部４２でつまづいたりすることなく支障なく安全に通過することができる。
【００２６】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、前記実施例では電動式シャッターが例示されているが、本発明は手動式のシャッターにも適用可能である。また、蓋開閉機構及び係止機構の駆動部は油圧式に限定されず、例えば電動機械式等であっても良い。図９，図１０及び図１４において、タイマー５秒後とあるのは一例であり、秒数は特定されない。図１５において、タイマー５秒後及びタイマー１０秒後とあるのは一例であり、秒数は特定されない。
【図面の簡単な説明】
【００２７】
【図１】本発明に係るシャッターの第１実施形態を概略的に示す正面図である。
【図２】同シャッターの概略的縦断面図である。
【図３】図１のＡ部における溝開閉機構を示す図で、（ａ）はシャッター閉鎖時の断面図、（ｂ）はシャッター開放時の断面図である。
【図４】溝開閉機構の変形例を示す図で、（ａ）はシャッター閉鎖時の断面図、（ｂ）はシャッター開放時の断面図である。
【図５】本発明に係るシャッターの第２実施形態を概略的に示す部分的縦断面図である。
【図６】図５のＢ部における溝開閉機構の拡大断面図である。
【図７】同溝開閉機構の部分的平面図である。
【図８】溝開閉機構の動きを示す断面図である。
【図９】シャッター閉鎖時の溝開閉機構の動きを示すフローチャートである。
【図１０】シャッター開放時の溝開閉機構の動きを示すフローチャートである。
【図１１】本発明に係るシャッターの第３実施形態を概略的に示す縦断面図である。
【図１２】図１１のＣ部における係止機構を示す図で、（ａ）はシャッター閉鎖時の断面図、（ｂ）はシャッター開放時の断面図である。
【図１３】同係止機構の平面図である。
【図１４】シャッター閉鎖時の係止機構の動きを示すフローチャートである。
【図１５】シャッター開放時の係止機構の動きを示すフローチャートである。
【符号の説明】
【００２８】
１  シャッター
２  建物の開口
３  シャッターカーテン
４  シャッター本体
５  ガイドレール
１２  下端部材
１３  床面
１４  溝部
１７  溝開閉機構
【図１】
2005179897.tif 000003
【図２】
2005179897.tif 000004
【図３】
2005179897.tif 000005
【図４】
2005179897.tif 000006
【図５】
2005179897.tif 000007
【図６】
2005179897.tif 000008
【図７】
2005179897.tif 000009
【図８】
2005179897.tif 000010
【図９】
2005179897.tif 000011
【図１０】
2005179897.tif 000012
【図１１】
2005179897.tif 000013
【図１２】
2005179897.tif 000014
【図１３】
2005179897.tif 000015
【図１４】
2005179897.tif 000016
【図１５】
2005179897.tif 000017